(57)【要約】【課題】  本発明の課題は、ライニングの前面に便器が備えられたトイレユニットにおいて、使用者が安心してライニングに背中をもたれ掛けることができるトイレユニットを提供することである。  【解決手段】  本発明では、便座を有する便器と、前記便器を前面に備えるライニングとからなり、前記ライニングは少なくとも上面を覆う甲板と前面を覆う前板とを有し、前記前板の下方には凹部が形成され、前記凹部に前記便器の後方端部が収納され、前記便器より上方の前板は上端を起点に表面が上向きの傾斜面となっていることとした。【選択図】  図１
2014034785.tif 000002
【特許請求の範囲】
【請求項１】
便座を有する便器と、前記便器を前面に備えるライニングとからなり、
前記ライニングは少なくとも上面を覆う甲板と前面を覆う前板とを有し、
前記前板の下方には凹部が形成され、前記凹部に前記便器の後方端部が収納され、
前記便器より上方の前板は上端を起点に表面が上向きの傾斜面となっていることを特徴とするトイレユニット。
【請求項２】
前記傾斜面の横幅が前記便器の横幅と略同一であることを特徴とする請求項１に記載のトイレユニット。
【請求項３】
前記傾斜面が前記ライニングの横幅に亘って形成され、前記便器の後方端部の側方にキャビネットが備えられていることを特徴とする請求項１に記載のトイレユニット。
【請求項４】
便座を有する便器と、前記便器を前面に備えるライニングとからなり、前記便器より上方で前記便器の幅と略同一の幅のライニングの前面が上方を中心として下方を回動自在に引き出し可能とされ、引き出された状態で前記ライニングの前面板表面が上向きの傾斜面となることを特徴とするトイレユニット。
【発明の詳細な説明】
【技術分野】
【０００１】
本発明は、ライニングの前面に便器を備えたトイレユニットに係り、特にライニングの前面に背中をもたれ掛けることができるトイレユニットに関する発明である。 
【背景技術】
【０００２】
従来のトイレユニットでは、給水装置、排水装置あるいは便器支持装置等の各種装置をケース内に収納し、ケースの前面を斜めにしたトイレユニットが知られている。（例えば、特許文献１参照）。 
【０００３】
しかし、ケース前面が斜めになってはいるが、使用者が背中を後ろに寄り掛かりたい場合に、便蓋を開いて座ると、背中とケースの間に便蓋があるため、ケースに寄り掛かることができない。また、便蓋を取り外しても、便座とケース前面との距離が離れており、寄り掛かることができないものであった。   
【先行技術文献】
【特許文献】
【０００４】
【特許文献１】実開昭５１−８３１５１号公報（図３）
【発明の概要】
【発明が解決しようとする課題】
【０００５】
本発明は、上記問題を解決するためになされたもので、本発明の課題は、ライニングの前面に便器が備えられたトイレユニットにおいて、使用者がライニングの前面に背中をもたれ掛けることができるトイレユニットを提供することである。
【課題を解決するための手段】
【０００６】
上記目的を達成するために請求項１記載の発明によれば、便座を有する便器と、前記便器を前面に備えるライニングとからなり、前記ライニングは少なくとも上面を覆う甲板と前面を覆う前板とを有し、前記前板の下方には凹部が形成され、前記凹部に前記便器の後方端部が収納され、前記便器より上方の前板は上端を起点に表面が上向きの傾斜面となっていることとした。ライニング下方に便器の後端を収納する収納部が形成され、便器より上方の前板が上端を起点に表面が上向きに傾斜していることにより、使用者は背中をライニングの前面にもたれ掛けることができる。
【０００７】
また、本発明の好ましい態様によれば、前記傾斜面の横幅が前記便器の横幅と略同一であることを特徴とするトイレユニットが提供できる。傾斜面の横幅が前記便器の横幅と略同一とすることにより、両側方の前板は垂直面を確保でき、はね上げ手すり等の体を保持する器具の固定を容易にすることができる。
【０００８】
また、本発明の好ましい態様によれば、前記傾斜面が前記ライニングの横幅に亘って形成され、前記後方端部の側方にキャビネットが設けられていることを特徴とするトイレユニットが提供できる。後方端部の側方にキャビネットを設けることにより、収納を増やすことができる。
【０００９】
上記目的を達成するための第２の発明によれば、便座を有する便器と、前記便器を前面に備えるライニングとからなり、前記便器より上方で前記便器の幅と略同一の幅のライニングの前面が上方を中心として下方を回動自在に引き出し可能とされ、引き出された状態で奥に行くに従って高くなる傾斜面となることを特徴とするトイレユニットを提供できる。便器より上方で便器の幅と略同一の幅のライニングの前面が回動自在に引き出され傾斜面となることで、使用者は安心して背中をライニングの前面にもたれ掛けることができる。収納された状態では、介護者が必要とされる使用者の背中から腰にかけて介護者の手が入る空間が確保できる。
【発明の効果】
【００１０】
本発明によれば、使用者が安心してライニングの前面に背中をもたれ掛けられるという効果がある。
【図面の簡単な説明】
【００１１】
【図１】本発明の実施態様示す模式側面図である。
【図２】本発明の実施態様示す模式斜視図である。
【図３】本発明の実施態様示す模式斜視図である。
【図４】本発明の実施態様示す模式斜視図である。
【図５】本発明の実施態様示す模式斜視図である。
【図６】本発明の実施態様示す模式斜視図である。
【発明を実施するための形態】
【００１２】
以下、図面を参照しつつ、本発明の実施形態について説明する。
図１は、本発明の実施の形態に係るトイレユニットを例示する模式側面図である。
トイレユニット１０は、ライニング１と、ライニング１の前面下方に取付けられる便器４を有する。ライニング１は底面をトイレルームの床面１００に、背面を壁面１０１に接するように設置される。また、ライニング１は前面を前板２で、上面を甲板３によって覆われている。また、便器４には使用者がトイレを利用する際に座る便座５を備えている。
【００１３】
ここで、前板２は、前板の上端を起点に表面が上向きに傾斜した前板傾斜面２１と、垂直な前板垂直面を有する。前板傾斜面２１の下方には凹部２２が形成されている。この凹部２２には、便器４の後方部分が収納される。こうした構造によって、使用者がトイレを使用する際に、便器４の便座５に腰掛け、背中を後に倒すと、前板傾斜面２１で背中を支えることができる。
【００１４】
便器４の後方部分が凹部２２に収納された際に、前板傾斜面２１の傾斜の延長線より便座５の回転軸が手前になるようにしておく。そうすることで、便座５を上げて使用する際に、便座５が途中で前板傾斜面２１にぶつかって戻ることがない。
【００１５】
図２は、本発明の実施の形態に係るトイレユニットを例示する模式斜視図である。前板２の便器４の上方で便器４の幅相当の前板が前板傾斜面２１を構成している。便器４の後方部分はその前板傾斜面２１の下方の凹部２２に収納される。
【００１６】
図３は、前板傾斜面２１がライニング１の幅で構成された例を示す斜視図である。このように、ライニング１の幅で前板傾斜面２１を設けた場合、便器４の後方部分の横の凹部のスペースに収納キャビネット１ａを置くことができる。
【００１７】
図４に示すように、ライニング１の前板傾斜面２１の表面が滑りにくく、クッション性のある材質にすることでより体勢を安定させることが出来る。材質としては、ウレタン・エラストマーシートなど一般的なものでよい。
【００１８】
また、図５に示すように前板傾斜面２１の面にすべり止めやクッション性のあるシートを貼付しても良い。
【００１９】
また、通常状態で前板傾斜面２１がライニング１に垂直面として備えられ、体を支え難い人がトイレを使用する際に、前板傾斜面２１を引き出して背中を支えるようにすることができる。この場合、前板傾斜面２１の上部がライニング１に軸支するようにして、回動させて傾斜面とする。前板傾斜面２１の下部は２つ折できる２つ折面２１１のようにすると前板傾斜面を回動させる際に回動させ易い。収納時は前板垂直面２３と前板傾斜面２１および２つ折面２１１の前面が垂直面となり同一面となる。
【符号の説明】
【００２０】
１…ライニング
１ａ…収納キャビネット
２…前板
２１…前板傾斜面
２１１…２つ折面
２２…凹部
２３…前板垂直面
３…甲板
４…便器
５…便座
１０…トイレユニット
１００…床面
１０１…壁面
【図１】
2014034785.tif 000003
【図２】
2014034785.tif 000004
【図３】
2014034785.tif 000005
【図４】
2014034785.tif 000006
【図５】
2014034785.tif 000007
【図６】
2014034785.tif 000008